(57)【特許請求の範囲】
【請求項１】
ガット面（２）によって構成され使用者の靴（４）を固定するための固定手段（ＭＲ）を含む形式の輪かんじき（１）であって、
前記固定手段（ＭＲ）が、靴（４）を輪かんじきに組み合わせるために、靴の相補的かぎ掛け手段（ＭＡＣ）である凹んだプロフィール（７ａ，７ｂ）内に導入される突出プロフィール（６ａ，６ｂ）によって構成されること、
かつ、前記固定手段（ＭＲ）が、前記ガット面（２）に固定された軸支持物（８ａ，８ｂ）の上を横方向に滑動することができるアンロック機構（９ａ，９ｂ）と、該アンロック機構（９ａ，９ｂ）に固定された前記突出プロフィール（６ａ，６ｂ）とをその固定位置（Ａ）の方へ導く弾性誘導手段（ＭＳＥ）を含むこと、
前記突出プロフィール（６ａ，６ｂ）が、関節継手横断軸（ＹＹ’）に沿って少なくとも２つ配置され、端部に協働突起（１７）を有し、前記固定手段（ＭＲ）が、靴（４）を輪かんじき（１）に対して関節継手横断軸（ＹＹ’）の周りで旋回できるようになっていること、
かつ、前記突出プロフィール（６ａ，６ｂ）の少なくとも１つが、固定部分（Ａ）と、アンロック位置（Ｂ）との間で、移動可能に配置されていることを特徴とする輪かんじき。
【請求項２】
前記突出プロフィール（６ａ，６ｂ）が、各々、輪かんじきのガット面（２）に固定された軸支持物（８ａ，８ｂ）の上を横方向に滑動することができる前記アンロック機構（９ａ，９ｂ）に取り付けられていることを特徴とする請求項１に記載の輪かんじき。
【請求項３】
前記軸支持物（８ａ，８ｂ）が輪かんじきのガット面（２）の上に取り付け固定され、前記突出プロフィール（６ａ，６ｂ）は、軸支持物（８ａ，８ｂ）の上に滑動するように取り付けられたアンロック機構（９ａ，９ｂ）に固定され、前記滑動は、これが固定位置（Ａ）からアンロック位置（Ｂ）の方へ実施されるときに、弾性誘導手段（ＭＳＥ）に逆らって実施されることを特徴とする請求項１又は２に記載の輪かんじき。
【請求項４】
前記軸支持物（８ａ，８ｂ）の上を滑動するように取り付けられたアンロック機構（９ａ，９ｂ）が、固定手段（ＭＲ）のアンロックを手動で作動し易いようにするための外部冠状物（４１）および凹んだプロフィール（２２）を含むことを特徴とする請求項２又は３に記載の輪かんじき。
【請求項５】
前記ガット面（２）が、中央部分には使用者の靴を平衡させるために、靴の後部の下に延びる仕切り板または横断支持材（２５）を含み、かつ、関節継手横断軸（ＹＹ’）の前に位置する開口部（２６）を有することを特徴とする請求項１又は２に記載の輪かんじき。
【請求項６】
前記相補的かぎ掛け手段（ＭＡＣ）が、靴の底の中に１つの関節継手横断軸（ＹＹ’）に沿って同軸に配置された２つの凹んだプロフィール（７ａ，７ｂ）によって形成されていることを特徴とする請求項１に記載の輪かんじき。
【請求項７】
前記関節継手横断軸（ＹＹ’）が、使用者の土踏まずの前に端部が位置するレベルにほぼ置かれていることを特徴とする請求項１，５又は６に記載の輪かんじき。
【請求項８】
前記相補的かぎ掛け手段（ＭＡＣ）が、靴の底の中に位置する１つのインサート（５１）によって支えられた２つの凹んだプロフィール（７ａ，７ｂ）によって形成されていることを特徴とする請求項１又は６に記載の輪かんじき。
【発明の詳細な説明】
【０００１】
【発明の属する技術分野】
本発明は、輪かんじきに関し、特に靴を輪かんじきに固定する装置に関する。本発明はまた、本発明の輪かんじきと組み合わせるための靴にも関する。
【０００２】
【従来の技術】
輪かんじきは、非常に長い年数にわたって知られている道具である。というのも、スカンジナビアの住民によって幾世紀にもわたって雪の上を移動するために使用されてきたからである。今日まで、輪かんじきは実用または軍用の目的で山岳の住民および部隊が日常生活で必要な移動のために雪上を移動できるようにするために使用されてきた。現在、輪かんじきはむしろ、ハイキングや散歩さらには競技も行う散策者やスポーツマンによって使用されている。
【０００３】
すでに、靴を輪かんじきの上に固定するためのざまざまな形式の装置が存在する。その結果として特に２つの形式が知られている。すなわち板形式とゴムスリッパ形式である。一般に、板形式の装置は足がより高い剛性を伴って固定されるので、性能を心配するスポーツマンによって最も頻繁に使用されるが、これに反してゴムスリッパ形式の装置はむしろあまり気難しくなく性能をあまり心配しない散策者に好まれる。
【０００４】
しかし、使用される固定形式がどうであろうとも、この装置は、ゴムスリッバの場合のような足の姿勢の問題に、または使用の快適さの問題（板形式のシステム）に関して多くの難点を有する。実際、板形式の装置は一般に、靴の周りへの取付けに時間がかかってうんざりする固定手段を有する。
【０００５】
【発明が解決しようとする課題】
本発明は、ガット面によって構成され使用者の靴を固定するための固定手段を含む形式のもので、固定手段が靴の相補的かぎ掛け手段と協働するための突出または凹んだプロフィールによって構成されている輪かんじきを提供することを目的とする。
【０００６】
【課題を解決するための手段】
本発明による輪かんじきの好ましい実施形態によれば、固定手段が、靴を輪かんじきに組み合わせるために靴の相補的かぎ掛け手段の凹んだプロフィール内に導入される少なくとも２つの突出プロフィールによって構成されることを特徴とする。
【０００７】
本発明による輪かんじきの別の特徴によれば、固定手段は、靴が輪かんじきに対して１つの横軸の周りで旋回することを可能にする。
【０００８】
本発明による輪かんじきの好ましい実施形態によれば、突出プロフィールが軸に沿って同軸に配置された２つの軸部分によって構成され、これらの２つの部分は端部に、靴を輪かんじきに組み合わせるときに凹んだプロフィールの内部に旋回できる協働突起を有することを特徴とする。
【０００９】
本発明による輪かんじきの１つの相補的特徴によれば、少なくとも１つの突出プロフィールが、靴の対応する凹んだプロフィールと協働する場所である固定位置（Ａ）と前記凹んだプロフィールと、もはや協働しない場所であるアンロック位置との間に、移動可能に配置されていることを特徴とする。
【００１０】
本発明による輪かんじきの別の特徴によれば、固定手段は、１つまたは複数の突出可動プロフィールをその固定位置の方へ導く弾性誘導手段を含む。
【００１１】
本発明による輪かんじきの好ましい実施形態によれば、これは、２つの軸部分が横軸支持物とアンロック機構によって輪かんじきのガット面の上に取り付けられることを特徴とする。
【００１２】
本発明による輪かんじきの好ましいこの実施形態によれば、横支持物は輪かんじきのガット面の上に取付け固定され、軸部分は横軸支持物の上に滑動するように取り付けられたアンロック機構に固定され、この滑動は、これが固定位置からアンロック位置の方へ実施されるときに、弾性誘導手段に逆らって実施される。
【００１３】
本発明による輪かんじきの別の特徴によれば、固定手段は相補的レールスライド装置によって輪かんじきの上に取り付けられている。
【００１４】
本発明による輪かんじきの相補的特徴によれば、ガット面が、中央部分には使用者の靴を平衡させるために、靴の後部の下に延びる仕切り板または横断支持材を含み、前記ガット面が関節継手横断軸の前に置かれた開口部を有することを特徴とする。
【００１５】
さらに、本発明は、本発明の輪かんじきに組み合わせるための関連の靴であって、主な特徴によれば相補的かぎ掛け手段を有する靴にも関する。
【００１６】
本発明による輪かんじきに組み合わせる靴の別の特徴によれば、この靴は、相補的かぎ掛け手段が、靴の底の中に１つの横軸に沿って同軸に配置された２つの軸受け座によって形成されていることを特徴とする。
【００１７】
本発明による輪かんじきに組み合わせるための靴の相補的特徴によれば、横断軸は、使用者の土踏まずの前に端部が位置するレベルにほぼ置かれている。
【００１８】
本発明による輪かんじきと組み合わせるための靴の好ましい実施形態によれば、相補的かぎ掛け手段は、靴底の中に位置する１つのインサートによって支えられた２つの凹んだプロフィールによって形成されている。
【００１９】
本発明のその他の特徴および利点は、単に限定されない例示としてのみ挙げた添付の図面にしたがって行う説明から明らかになろう。
【００２０】
【発明の実施の形態】
図１〜９は、輪かんじきと関連の靴との好ましい実施形態を示すものである。
【００２１】
参照番号（１）で示される本発明の輪かんじきは、主枠（３）によって画定されたガット面（２）を含む形式のもので、このガット面は、耐力を保証するために剛性の内部仕切り板（５）の集合として形成された追加板の形を呈するか、または北米を起源とする管状形式輪かんじきの場合におけるような布地の形を呈することもできる。輪かんじきは、図１〜４に示すように、靴（４）を輪かんじきに固く結合できるようにするための固定手段（ＭＲ）を含み、この固定手段は主枠（３）の上またはガット面（２）を形成する剛性の内部仕切り板（５）、もしくはその他のどんな要素の上にも取り付けることができる。
【００２２】
本発明によれば、固定手段（ＭＲ）は、靴（４）を輪かんじき（１）に固定するために靴（４）の中に配置された相補的形状の凹んだプロフィール（７ａ、７ｂ）の中に導かれる少なくとも２つの突出プロフィール（６ａ、６ｂ）によって構成される。これらの突出プロフィール（６ａ、６ｂ）の少なくとも１つは、これが靴の対応する凹んだプロフィール（７ａ、７ｂ）の１つと協働する場所である固定位置（Ａ）と、これが前記の凹んだプロフィールから引き出されて使用者が自分の靴（４）を輪かんじき（１）から取り外すことができるようにする場所であるアンロック位置（Ｂ）との間に、移動可能に配置されている。本発明の輪かんじきの図解された実施形態によれば、２つの突出プロフィール（６ａ、６ｂ）は、図５、６に示されるように、前記の固定位置とアンロック位置の２つ（Ａ、Ｂ）の間を移動するように取り付けられることは有利であることに留意されたい。しかし、可能な変形形態によれば、突出プロフィールのみが靴に対して移動することが可能で、一方では他のプロフィールは固定され、移動性プロフィールは固定プロフィールが靴のロックとアンロックができるようにすることに注目することができる。靴の凹んだプロフィール（７ａ、７ｂ）は例えば靴底の中に配置され、輪かんじきの固定手段（ＭＲ）と協働するための相補的かぎ掛け手段を形成することに留意されたい。
【００２３】
本発明によれば、輪かんじき（１）の上に靴（４）を固定する手段（ＭＲ）は、図２、３に示すように、輪かんじきの一般対称縦平面（Ｐ）に直交する横断軸（ＹＹ’）の周りに靴が輪かんじきに対して旋回することを可能し、この旋回の大きさを、それ自体知られている方式で停止システムによってその振幅内に制限することができる。
【００２４】
これを行うために、靴の旋回は、靴（４）の凹んだプロフィール（７ａ、７ｂ）が靴の相補的軸受け座内部で旋回できる軸部分によって構成されている、図示した好ましい実施形態におけるように、突出プロフィール（６ａ、６ｂ）の靴（４）の凹んだプロフィール（７ａ、７ｂ）内部における相対的回転によって、または固定手段（ＭＲ）を支持する輪かんじき（１）に対する固定手段（ＭＲ）の突出プロフィール（６ａ、６ｂ）の旋回によって、実施することが可能である。この第２の仮定では、突出プロフィールと凹んだプロフィールとの協働は、例えばこれらの縦プロフィールの相補的特定形状によって、横断軸（ＹＹ’）の周りの回転が妨げられ、輪かんじき（１）の上に配置固定されている突出プロフィールの支持物または底板と突出プロフィール自体との間に関節継手が実現されるが、一方では靴は前記プロフィールと回転可能に結ばれている。したがって図示されていないこれら最後の変形では、突出プロフィールは平行六面体の形状にすることができ、または三角形のプロフィールを有することができ、例えば旋回機構は支持物または底板の内部に位置する。
【００２５】
輪かんじき（１）の好ましい実施形態によれば、突出プロフィールは、靴（４）の靴底（４ａ）の中に位置する軸受け座（７ａ、７ｂ）と協働する軸部分（６ａ、６ｂ）によって形成されることが好ましい。本発明によれば、軸部分（６ａ、６ｂ）は、輪かんじき（１）の縦平面（Ｐ）に直交する横断軸（ＹＹ’）に沿って同軸に位置付けられている。これらの軸部分は、輪かんじきの固定手段（ＭＲ）を靴の固定手段の中に配置できるようにするため、靴と輪かんじきに対するそれぞれの動きを管理する横軸支持物（８ａ、８ｂ）とアンロック機構支持物（９ａ、９ｂ）の便法を用いて、輪かんじき（１）のガット面の上に取り付けられる。
【００２６】
本発明による輪かんじき（１）の好ましい実施形態によれば、２つの軸部分（６ａ、６ｂ）は、靴（４）底の前の部分に位置するインサート（５１）の軸受け座（７ａ、７ｂ）の中に導入可能にするために、これらの回転軸（ＹＹ’）に沿って移転可動式である。この実施形態では、これらの軸部分（６ａ、６ｂ）は各々、輪かんじきのガット面（２）に固定された軸支持物（８ａ、８ｂ）の上を横断方向に滑動することができるそれぞれのアンロック機構（９ａ、９ｂ）の上に取付け固定されている。本発明によれば、アンロック機構（９ａ、９ｂ）と軸支持物（８ａ、８ｂ）の間の滑動は、アンロック機構（９ａ、９ｂ）とその軸部分（６ａ、６ｂ）をその固定位置（Ａ）の方へ永続的に誘導する弾性誘導手段（ＭＳＥ）に逆らって実施されることに留意されたい。これらの弾性誘導手段（ＭＳＥ）は周知の形式にすることができ、例えば、軸部分（６ａ、６ｂ）の固く連結された停止表面（１１）と軸支持物（８ａ、８ｂ）の上に位置するもう１つの支持表面（１２）との間に配置された圧縮ばね（１０）によって形成することができる。
【００２７】
輪かんじき（１）の好ましい実施形態によれば、また図４〜７に示すように、支持物（８ａ、８ｂ）は、円筒状管の一部（１３）で構成された管状部と呼ばれる上部分の形状を呈し、この管状部はその中ぐりの端部の１つに横断支持表面（１２）すなわちオリフィスを有する支持表面を有し、このオリフィスを横切って軸部分（６ａ）が滑動できる。好ましい実施形態によれば、軸部分（６ａ、６ｂ）は、管状部（１３）の中ぐり（１３ａ）の中をその長さにわたって滑動するようにしたばね（１０）のための停止装置を形成する環状フランジ（１１）を有し、このフランジの直径は中ぐりの直径と同じである。この上部分すなわち管状部（１３）は、ガット面（２）の上に有利に位置する相補的形状のレール（１５）と協働するようにした固定内部レール（１４）を通って下方に延びている。この協働は、支持物（８ａ、８ｂ）の図示されていない内部停止表面がガット面の相補的レール（１５）の停止表面の上に停止するまで、滑動を通じて実施されることに留意されたい。
【００２８】
軸部分（６ａ、６ｂ）は、内側に協働突起（１７）を有し、この直径は軸受け座（７ａ、７ｂ）の直径と隙間を有してほぼ同じであるが、一方、フランジ（１１）の他の側では、この突起は管状部（１３）の中ぐり（１３ａ）の内部に位置するばね（１０）の中を通過するようにしたロッド（１９）を有し、これは次いで内部ねじ山とねじシステム（１８）によってアンロック機構（９ａ、９ｂ）に固定される前に管状部の支持表面（１２）を通過するためのものである。
【００２９】
軸支持物（８ａ、８ｂ）がその上部分に２つの案内溝（２１ａ、２１ｂ）を有し、これらによってアンロック機構（９ａ、９ｂ）はその支持物の上を滑動して来ることができ、この滑動において軸部分（６ａ、６ｂ）の移動、特にアンロック位置（Ｂ）において管状部（１３）の中ぐり（１３ａ）の内部に引っ込められるようになる突起（１７）の移動を引き起こすことに留意されたい。これを実施するために、アンロック機構（９ａ、９ｂ）は滑動キャップの形を呈し、これは図７、８ａに示すように、これらが固定位置（Ａ）にあるときは軸支持物（８ａ、８ｂ）とぴったり合うことができるように軸支持物（８ａ、８ｂ）の外形の相補的内形を成している。アンロック機構（９ａ、９ｂ）はまた、その内面に、滑動を保証するために管状部（１３）の溝（２１ａ、２１ｂ）と協働するようにした２つの内部案内突出部（２０ａ、２０ｂ）を有する。
【００３０】
本発明による輪かんじき（１）の好ましい実施形態によれば、また図８ａ，８ｂに示すように、アンロック機構（９ａ、９ｂ）はその外面に主支持表面（２３）を有し、この主支持表面は、例えば凹んだプロフィール（２２）の中に位置して、結果的に生ずる機構（９ａ、９ｂ）の滑動によって固定手段（ＭＲ）のアンロックを引き起こすために作動されるようになっている。この主支持表面（２３）は、図８ａに見るように、スキーのストック（２７）などの付属物によって行われる押力で横断軸（ＹＹ’）に沿って並進作動されることが可能なように、横断軸（ＹＹ’）に直交する表面か、または軸に直交する平面に対して僅かに傾斜した平面であることが有利である。アンロック機構はまた、図８ａに示すような使用者が手動で作動し易いようにするための外部冠状物（４１）を有する。
【００３１】
輪かんじきの固定手段（ＭＲ）の好ましい実施形態によれば、輪かんじきのガット面（２）の上における固定手段の固着はもっぱらレール滑り金物装置（１４、１５、２０ａ、２０ｂ、２１ａ、２１ｂ）を用いて実施され、アンロック機構（９ａ、９ｂ）がやはり同様に案内溝（２１ａ、２１ｂ）の周りの滑動によって支持物（８ａ、８ｂ）の上に固定されるようになる前に、支持物（８ａ、８ｂ）はガット面（２）のレール（１５）上の滑動によって固定されるようになり、ねじ（１８）によるアンロック機構（９ａ、９ｂ）上の軸部分（６ａ、６ｂ）の固着は、固定手段（ＭＲ）の構成部分（６ａ、６ｂ、８ａ、８ｂ、９ａ、９ｂ）の分離を防ぎながら装置のロックを可能にすることに留意されたい。さらに、いったん組み立てられてガット面（２）の上に配置されたアンロックキャップ機構（９ａ、９ｂ）、支持機構（８ａ、８ｂ）およびこれらの軸部分（６ａ、６ｂ）は雪がこの仕組みの中に入り込むことを防止するように、共に閉鎖された囲いを形成していることに注目することは重要である。
【００３２】
さらにまた、軸部分（６ａ、６ｂ）のロッド（１９）はアンロック機構（９ａ、９ｂ）の上に取付け固定され、ロッドの端部に位置する図示されていない支持表面が、回転軸部分をブロックするための機構と相補的形状を成す受け座の中に入ることに留意されたい。
【００３３】
輪かんじき（１）の好ましい実施形態によれば、ガット面は、その中央部分に使用者の靴を平衡させるために、仕切り板または支え横断材の組立品（２５）を含み、これによって図２に示すように靴は輪かんじきのガット面の上に安定することができる。これらの仕切り板および横断材は靴の後部分の下に延び、ガット面（２）は靴（４）を前方に旋回できるようにするために横断軸（ＹＹ’）の前に位置する開口部（２６）を有する。ガット面（２）と靴（４）との間のそれぞれの旋回の限定は、前方開口部（２６）の直ぐ下のガット面上に配置された停止表面によって管理することができることに留意されたい。しかしまた、前記の旋回を保証する機構を用いて、すなわち本発明の保護領域から逸脱しない限り軸部分と靴底の中に位置する相補的受け座によって直接管理することもできる。
【００３４】
輪かんじきの固定手段（ＭＲ）は、図９に示すように、使用者の土踏まずの前でほぼ端部レベルに位置する軸（ＹＹ’）の周りに関節継手が生ずるように、靴の前部分のレベルに、靴のどちらの側にも同軸に配置されていることに注目することができる。
【００３５】
さらにまた本発明は、本発明の輪かんじき（１）の固定手段（ＭＲ）と協働するようにした関連の靴にも関する。この靴は、固定手段（ＭＲ）の突出したプロフィール（６ａ、６ｂ）と協働するようにした２つの凹んだ受け座を含むことが有利である。これらの受け座は、軸受け座（７ａ、７ｂ）であって靴（４）の靴底（４ａ）の中に配置されたインサート（５１）によって支えられていることが有利である。このインサートは、図９に示すようにほぼ横になった双曲線形状を呈することができるが、また直線を呈することもできる。輪かんじきと協働するようにした靴の好ましい実施形態では、靴が有する靴底（４ａ）またはインサート（５１）の端部は、軸受け座（７ａ、７ｂ）の入口のレベルに、軸部分（６ａ、６ｂ）の協働突起（１７）を押し返してその受け座（７ａ、７ｂ）の中へ導くようにした導入ランプ（３０）を含む。協働突起（１７）の端部はまた、靴（４）を配置するときにランプ（３０）との協働を助けるために面取りすることもできることに留意されたい。
【００３６】
この説明を読むことによって、靴（４）が突起（６ａ、６ｂ）によって輪かんじきの上に固定され、突起（６ａ、６ｂ）は１つまたは複数のばねの作用を受けて互いに行使され、こうして靴をそのインサートを挟むことによって抑えることが理解されよう。また、輪かんじき上への靴の配置はＦによる前記靴の下方への簡単な転位によって自動的に行われることが理解されよう（図５を参照）。この移動のときに、インサート（５１）はその下部ランプ（５２）によって、１つまたは複数のばねの作用に対抗して固定突起（６ａ、６ｂ）の１つまたは他の１つを押し返し、これは前記の突起がインサートの対応するくぼみの中に連結されるまで行われる。靴の離脱については、これはアンロック機構（９ａ、９ｂ）のいずれか１つを外向きに簡単に横方向移動させることによって行われ、この横方向移動は外部冠状物（４１）に対する使用者の作用によって、またはこの効果を目的とした凹んだプロフィール（２２）におけるストック先端の協働を通じてストック先端による作用によって（図８ｂを参照）、手動で行うことができる（図８ａを参照）。この作業のときに、アンロック機構はその横方向移動中に対応する突出部を引き込み、これが靴を解放する。
【００３７】
図１０は協働突起の一変形形態を示し、これによれば、円錐形状の端部は、靴の対応する協働凹みの中に入る可能性のある雪の除去を助けるために、例えば２つの割れ目を含む。この場合、軸部分（９ａ、９ｂ）はこれらのそれぞれの受け座内で回転を阻止することができる。もちろん、突出部の端部もダイヤモンド先端の形状を有することもできる。
【００３８】
もちろん、本発明は例によって説明し図示した実施形態に限定されるものではなく、あらゆる等価な技法およびその組合せも含むものである。
【図面の簡単な説明】
【図１】取り付ける場合の、外された状態にある輪かんじきと靴との斜視図である。
【図２】組み合わせた状態にある輪かんじきと靴との斜視図である。
【図３】輪かんじきと旋回中の関連の靴との斜視図である。
【図４】本発明による輪かんじきとその固定手段を示し、固定手段の１つを分解斜視図として示した斜視図である。
【図５ａ】靴を取り付ける前の、輪かんじきの固定手段の断面図である。
【図５ｂ】靴を組み合わせた後の、輪かんじきの固定手段の断面図である。
【図６】かぎを外した状態にある輪かんじきの固定手段の図５に類似の図である。
【図７】輪かんじきの固定手段の軸支持物を示す斜視図である。
【図８ａ】輪かんじきの固定手段のアンロックキャップを示す斜視図である。
【図８ｂ】アンロックキャップの側面図である。
【図９】輪かんじきの上における靴とそのインサートとの位置決めを示す概略図である。
【図１０】協働突起の端部の変形実施例を示す図である。
【符号の説明】
１  輪かんじき
２  ガット面
３  主枠
４  靴
４ａ  靴底
５  内部仕切り板
６ａ、６ｂ  突出プロフィール、軸部分
７ａ、７ｂ  凹んだプロフィール、軸受け座
８ａ、８ｂ  横軸支持物
９ａ、９ｂ  ロック機構支持物、アンロック機構
１０  圧縮ばね
１１  停止表面、環状フランジ
１２  支持表面
１３  円筒状管の一部、冠状物
１３ａ  中ぐり
１４  固定内部レール
１５  レール
１７  協働突起
１８  内部ねじ山とねじシステム
１９  ロッド
２０ａ、２０ｂ  内部案内突出部
２１ａ、２１ｂ  案内溝
２２  凹んだプロフィール
２３  主支持表面
２５  仕切り板または支え横断材の組立品
２６  開口部
２７  スキーのストック
３０  導入ランプ
４１  外部冠状物
５１  インサート
５２  下部ランプ
Ａ  固定位置
Ｂ  アンロック位置
ＭＲ  固定手段
Ｐ  一般対称縦平面
ＭＳＥ  弾性誘導手段
ＹＹ’  横断軸、回転軸
【図１】
0004050516.tif 000002
【図２】
0004050516.tif 000003
【図３】
0004050516.tif 000004
【図４】
0004050516.tif 000005
【図５ａ】
0004050516.tif 000006
【図５ｂ】
0004050516.tif 000007
【図６】
0004050516.tif 000008
【図７】
0004050516.tif 000009
【図８ａ】
0004050516.tif 000010
【図８ｂ】
0004050516.tif 000011
【図９】
0004050516.tif 000012
【図１０】
0004050516.tif 000013